(57)【要約】【課題】溶接作業が不要であり、且つ、容易に取り付けができる施工性の良好なサッシ体を提供する。【解決手段】サッシ枠２と、サッシ枠２の外周面に固定するアンカー３と、躯体開口部Ｋに固定するブラケット４とを備え、アンカー３は、サッシ枠２の外周面への固定部３１１を有するアンカー基板３１と、アンカー基板３１からブラケット４側に突設する連結フィン３２とを有しており、ブラケット４は、躯体開口部Ｋへの固定部４１１を有するブラケット基板４１と、ブラケット基板４１からアンカー３側に突設して連結フィン３２に螺子止め固定する被連結フィン４２とを有しており、アンカー３の連結フィン３２はアンカー基板３１を固定するサッシ枠２の枠材の長手方向に略平行に、且つ、回動自在にアンカー基板３１に連結してある。【選択図】　　　　図１
2004124355.tif 000002
【特許請求の範囲】
【請求項１】
サッシ枠と、サッシ枠の外周面に固定するアンカーと、躯体開口部に固定するブラケットとを備え、アンカーは、サッシ枠の外周面への固定部を有するアンカー基板と、アンカー基板からブラケット側に突設する連結フィンとを有しており、ブラケットは、躯体開口部への固定部を有するブラケット基板と、ブラケット基板からアンカー側に突設して連結フィンに螺子止め固定する被連結フィンとを有しており、アンカーの連結フィンはアンカー基板を固定するサッシ枠材の長手方向に略平行に、且つ、回動自在にアンカー基板に連結してあることを特徴とするサッシ体。
【発明の詳細な説明】
【０００１】
【発明が属する技術分野】
本発明は、サッシ枠を躯体開口部に取り付け固定するのに好適なアンカーを含むサッシ体に関するものである。
【０００２】
【従来の技術】
従来、上記したサッシ体としては、躯体開口部に固定したブラケットにアンカーを溶接してサッシ枠を固定する方法が一般的であり、例えば、実開平４−１１１８９２号では支持板（アンカー基板）と窓孔（躯体開口部）の内周面との間隔以上の連結材（連結フィン）をサッシの長手方向に揺動自在に枢設して取付板（ブラケット）に溶接固定する方法が開示されている。
【０００３】
【発明が解決しようとする課題】
ところが、上記した従来のサッシ体では、溶接火花で内装を焦がしたりすることを予防する為の養生作業が必要であり、また、実開平４−１１１８９２号に開示されている方法では躯体開口部の内周面が平滑でない場合や、傾斜している場合にブラケット面が傾斜する為にアンカー面とうまく合わず取り付けができないことがあるという問題があり、これらの問題を解決することが従来の課題となっていた。
【０００４】
【発明の目的】
本発明は、上記した従来の課題に着目してなされたもので、溶接作業が不要であり、且つ、躯体開口部の内周面が平滑でない場合や、傾斜している場合でも容易に取り付けができる施工性の良好なサッシ体を提供することを目的としている。
【０００５】
【課題を解決するための手段】
本発明の請求項１に係わるサッシ体は、サッシ枠と、サッシ枠の外周面に固定するアンカーと、躯体開口部に固定するブラケットとを備え、アンカーは、サッシ枠の外周面への固定部を有するアンカー基板と、アンカー基板からブラケット側に突設する連結フィンとを有しており、ブラケットは、躯体開口部への固定部を有するブラケット基板と、ブラケット基板からアンカー側に突設して連結フィンに螺子止め固定する被連結フィンとを有しており、アンカーの連結フィンはアンカー基板を固定するサッシ枠材の長手方向に略平行に、且つ、回動自在にアンカー基板に連結してある構成を前述した従来の課題を解決するための手段としている。
【０００６】
本発明に係わるサッシ体において、サッシ枠には、出入り口枠や採光枠など各種窓枠を含むものとする。
【０００７】
【発明の作用】
本発明の請求項１に係わるサッシ体において、アンカーは、サッシ枠の外周面への固定部を有するアンカー基板と、アンカー基板からブラケット側に突設する連結フィンとを有しており、ブラケットは、躯体開口部への固定部を有するブラケット基板と、ブラケット基板からアンカー側に突設して連結フィンに螺子止め固定する被連結フィンとで構成してあるのでアンカーとブラケットとを溶接する必要がなく、また、アンカーの連結フィンはアンカー基板を固定するサッシ枠材の長手方向に略平行に、且つ、回動自在にアンカー基板に連結してあるので躯体開口部の内周面が平滑でなかったり、躯体開口部の内周面が内外方向に傾斜したりしていてブラケットも傾斜しているような場合でもアンカーの連結フィンが回動してブラケットの被連結フィンの傾斜に合わせて容易に螺子止め固定することが可能であるから極めて施工性が良好であるという格別の効果が得られることとなる。
【０００８】
【発明の実施の形態】
以下、本発明の第一実施形態を図面に基づいて説明する。
【０００９】
図１〜図３は本発明に係わるサッシ体の第一実施形態を示しており、ここでは、本発明に係わるサッシ体を嵌め殺し欄間付き引き違い窓に適用した場合を示す。
【００１０】
図３は本発明の第一実施形態のサッシ体１の全体外観を表わす説明図であり、サッシ枠２は上枠２１、下枠２２及び左右の竪枠２３、２３を有しており、下段の引き違い窓２Ａは下枠２２、左右の竪枠２３、２３及び無目２４で四周枠を構成し、上段のＦｉｘ窓２Ｂは上枠２１、左右の竪枠２３、２３及び無目２４で四周枠を構成している段窓に適用したものである。図中の▽マーク部分は以下に詳述するが、サッシ枠２を躯体開口部Ｋに固定する為のアンカー３、３、・・・及びブラケット４、４、・・・の取り付け位置を表わしている。図１は本発明の第一実施形態のサッシ体１の縦断面図であり、躯体開口部Ｋの上下面に固定したブラケット４、４とサッシの上下枠２、２に固定したアンカー３、３とを連結して下段の引き違い窓２Ａ及び上段のＦｉｘ窓２Ｂからなるサッシを固定している状態を表わしている。本発明の第一実施形態において、アンカーはアルミニウム押出形材製のものを用い、ブラケットはステンレス製のものを用いている。
【００１１】
第一実施形態のサッシ体１は、図１に示すようにサッシ枠２と、サッシ枠２の外周面に固定するアンカー３と、躯体開口部Ｋに固定するブラケット４とを備え、アンカー３は、サッシ枠２の外周面への固定部３１１を有するアンカー基板３１と、アンカー基板３１からブラケット４側に突設する連結フィン３２とを有しており、ブラケット４は、躯体開口部Ｋへの固定部４１１を有するブラケット基板４１と、ブラケット基板４１からアンカー３側に突設して連結フィン３２に螺子止め固定する被連結フィン４２とを有しており、アンカー３の連結フィン３２は基端部３２１を軸として、アンカー基板３１にサッシ枠２の枠材の長手方向と略平行に設けた軸受け部３１２により回動自在に連結してあるものである。
【００１２】
先ず、上枠２１と躯体開口部Ｋとの連結構造について以下に詳述する。
【００１３】
上枠２１は図１に示す如く外周面の屋内側及び屋外側に各々相対向して設けたアンカー受け部２１１、２１１を有している。
【００１４】
アンカー３は図１及び図２に示す如くアンカー基板３１と連結フィン３２とで構成しており、アンカー基板３１は内周側（方向・位置は上枠２１に取り付けた状態における表記とする、以下同じ）の屋内外方向両端部に上枠２１のアンカー受け部２１１、２１１と摺動可能に係合する固定部３１１、３１１を設けるとともに外周側面に上枠２１の長手方向と略平行に設けた軸受け部３１２を設け、且つ、固定螺子３３を螺入する螺子孔３１３を有しており、一方、連結フィン３２は基端部３２１を軸とし、アンカー基板３１の軸受け部３１２に嵌入してアンカー基板３１に回動自在に連結してあり、先端部にブラケット４の被連結フィン４２と螺子止め連結する螺子止め部３２２を設けてある。したがって、連結フィン３２は上枠２１の長手方向と略平行に設けた軸受け部３１２に嵌入した基端部３２１を軸として回動自在に設けてあるから、連結フィン３２は常時上枠２１の長手方向に略平行な状態に保持されていることとなる。
【００１５】
ブラケット４はブラケット基板４１と被連結フィン４２とを有しており、ブラケット基板４１は固定部４１１において躯体開口部Ｋに打設したグリップアンカー４３によって躯体開口部Ｋに固定してあり、被連結フィン４２はブラケット基板４１から上枠２１側に突出して設けてあり、ブラケット基板４１をグリップアンカー４３によって躯体開口部Ｋに固定するときに被連結フィン４２が上枠２１の長手方向に略平行となるように調整して固定する。被連結フィン４２には先端部にアンカー３の連結フィン３２と螺子止め連結する螺子止め部４２２を設けてある。
【００１６】
アンカー３は図１に示す如く、上枠２１のアンカー受け部２１１、２１１にアンカー基板３１の固定部３１１、３１１を摺動可能に係合するとともに、固定螺子３３の先端部３３１が上枠の外周面に当接するように螺子孔３１３に固定螺子３３を螺入すれば、上枠２１のアンカー受け部２１１、２１１に摺動可能に係合してあるアンカー基板３１の固定部３１１、３１１は外周側を上枠１のアンカー受け部２１１、２１１に押し付けられることとなって摺動不能となり、即ち、固定螺子３３を取り付けてあることによってアンカー基板３１（アンカー３）は容易に上枠２１に固定できるという効果が得られるものである。
【００１７】
上枠２１に固定螺子３３で固定したアンカー３の連結フィン３２と、躯体開口部Ｋにグリップアンカー４３で固定したブラケット４の被連結フィン４２とがそれぞれ上枠２１に略平行であることは先に述べた通りであり、且つ、アンカー３の連結フィン３２は回動自在であるから、例えば躯体開口部が傾斜しているためにブラケット４が傾いていたとしても連結フィン３２と被連結フィン４２との面同士を当接させることは極めて容易である。このようにして面同士を当接させたブラケット４の被連結フィン４２の螺子止め部４２２と、アンカー３の連結フィン３２の螺子止め部３２２とを、連結螺子５を用いて螺子止め連結して固定することもまた極めて容易であり、本発明の第一実施形態のサッシ体１の上枠２１は以上のようにして躯体開口部Ｋに固定してあるものであり、各連結固定部はいずれも溶接作業を必要とせず、螺子止めのみの初心者でもできる簡易な作業だけで済むので作業性が極めて優れているものである。
【００１８】
以上の通り、本発明の第一実施形態における上枠２１と躯体開口部Ｋとの連結構造について詳述してきた。その他のサッシ枠２（下枠２２、竪枠２３）と躯体開口部Ｋとの連結についても、サッシ枠２の形状やサッシ枠２のアンカー受け部２１１、２１１に摺動可能に係合してあるアンカー基板３１の固定部３１１、３１１を摺動不能とする為の構造はサッシ枠２の部位によって異なるものの、本発明の要点であるアンカー３とブラケット４との連結固定構造は上述した上枠２１を下枠２２あるいは竪枠２３に置き換えただけで全く同様のものであり、特に下枠部においては、図１の下枠２２の部分に示す如く躯体開口部Ｋの下面に水勾配を設けることが一般的であり、従ってブラケット基板４１をグリップアンカー４３によって躯体開口部Ｋに固定するとブラケット基板４１から垂直に突出する被連結フィン４２は下枠２２の外周面（アンカー基板３１）に対する垂直面から躯体開口部Ｋの内周面の勾配に準じただけ傾きを有していることとなり、このような場合に特に上述の上枠の場合に詳述した如く、連結フィン３２を下枠２１の長手方向と略平行に設けた軸受け部３１２に嵌入した基端部３２１を軸として回動自在に設けてある構成が威力を発揮し、連結フィン３２を被連結フィン４２の勾配に合わせて傾けることによって極めて容易に螺子止め連結を可能とするものである。その他の部分についての詳細な説明は省略するとともに、竪枠２３のアンカー３との連結構造についてはほぼ上枠２１と同様であるので図面も省略した。サッシ枠２全体としては初めにも記述した通り、図３の▽マークで示した所定の間隔位置にアンカー３、３、・・・及びブラケット４、４・・・を取り付けて躯体開口部Ｋにサッシ枠２を固定しているものである。
【００１９】
本発明は、上述した実施の形態に限らず、本発明の主旨を逸脱しない範囲で種々の変更が可能である。例えば、　ブラケットの材質はステンレスに限られるものではなく、また、アンカーの材質はアルミニウム合金に限られるものではなく、いずれもその他の金属材料などを適宜使用することが可能である。ブラケットを躯体開口部に固定する方法はグリップアンカーによるものには限らない。上述の第一実施形態においてアンカー基板と連結フィンとを回動自在に連結する為に連結フィンの基端部を軸とし、アンカー基板に軸受け部を設ける構成としたが、アンカー基板に軸部を設け、連結フィンの基端部に軸受け部を設けることによって連結フィンを回動自在とする構成であっても同様の効果を奏する。軸受け部は図２に例示したようなサッシ枠材の長手方向にアンカー基板の全長にわたって設けたものに限られるものでなく、連結フィンをサッシ枠材の長手方向に略平行に回動自在に連結するものであれば連結フィンの基端部の一部分のみを保持するものであっても良い。
【００２０】
【発明の効果】
以上説明してきたように、本発明の請求項１に係わるサッシ体では、上記した構成としたから、溶接作業が不要であり、躯体開口部の内周面が平滑でなかったり、躯体開口部の内外方向に傾斜したりしていてブラケットも傾斜している場合でも極めて施工性が良好であるという格別の効果が得られることとなる。
【図面の簡単な説明】
【図１】第一実施形態のサッシ体の縦断面説明図である。
【図２】図１に示した上枠用アンカーの拡大斜視図である。
【図３】図１に示したサッシ体の外観とアンカー及びブラケットの取り付け位置とを示す外観説明図である。
【符号の説明】
１　　　サッシ体
２　　　サッシ枠
３　　　アンカー
３１　　アンカー基板
３１２　軸受け部
３２　　連結フィン
３２１　基端部
４　　　ブラケット
４１　　ブラケット基板
４２　　被連結フィン
Ｋ　　　躯体開口部
【図１】
2004124355.tif 000003
【図２】
2004124355.tif 000004
【図３】
2004124355.tif 000005